(57)【要約】【課題】光出射面を加工しなくても、複数の射出位置の光を所定の方向に案内することができる光案内装置及び該光案内装置を用いる照明具を提供する。【解決手段】内部で光が伝搬する光案内部を有する光案内装置を提供する。光案内部は、光反射面３１と、光反射面３１と間隔を空けて対向するように設けられた光出射面３２と、２つの接続面３３とで構成されている。光反射面３１は、光出射面側からの光を光出射面側に反射し、かつ互いに間隔を空けて配置されている複数の第１の反射部３１１と、第１の反射部３１１以外の箇所に形成されている第２の反射部３１２とを含む。第１の反射部３１１は、光出射面３２側からの所定の入射角度範囲内の光を第２の反射部より効率的に光出射面３２に反射する。【選択図】図３
2015115315.tif 000002
【特許請求の範囲】
【請求項１】
内部で光が伝搬する光案内部を有する光案内装置であって、該光案内部は、光反射面と、前記光反射面と間隔を空けて対向するように設けられた光出射面と、前記光出射面と前記光反射面の両側をそれぞれ連続させるとともに、互いに対向するように設けられた２つの接続面とにより構成され、
前記光反射面は、前記光出射面側からのあらゆる入射角度の光を前記光出射面側に反射するように構成され、かつ互いに間隔を空けて配置されている複数の第１の反射部と、前記第１の反射部以外の箇所に形成されている第２の反射部とを含み、
前記光出射面は、前記光反射面から入射する光のうち、所定の入射角度範囲内の光のみを前記光案内部の外側に出射させ、それ以外の光を再び前記光反射面に反射するように構成されており、
前記第１の反射部は、前記光出射面側からの所定の入射角度範囲内の光を前記第２の反射部より効率的に前記光出射面に反射することを特徴とする光案内装置。
【請求項２】
前記光案内部は所定の直線を囲む略環状に形成され、
前記光反射面と前記光出射面は、それぞれ環状に形成されるとともに、前記所定の直線に沿って並んでおり、
前記複数の第１の反射部は、環状に形成された前記光反射面に沿って、互いに間隔を空けて略環状に並んでおり、
前記光反射面における前記第１の反射部は粗面であることを特徴とする請求項１に記載の光案内装置。
【請求項３】
前記光反射面における前記第１の反射部は、環状に形成された前記光反射面の円周方向に沿って並んでいる多数の突起構造を有する粗面であることを特徴とする請求項２に記載の光案内装置。
【請求項４】
前記光反射面における前記第２の反射部は平面であることを特徴とする請求項１〜請求項３のいずれか一項に記載の光案内装置。
【請求項５】
カバーと、
発光手段と、
前記光案内部に入射した該発光手段の光が前記光出射面から出射するように案内し、かつ前記カバー内に収容されている請求項１〜請求項４のいずれか一項に記載の光案内装置と、
前記光案内部の外側の光反射面に貼り付けられ、かつ光を前記光反射面に反射する光反射手段とを備える照明具であって、
前記光反射面に貼り付けられる前記光反射手段が鏡面を有することにより、光を前記光反射面に反射することを特徴とする照明具。
【発明の詳細な説明】
【技術分野】
【０００１】
本発明は光案内装置及び該光案内装置を用いる照明具に関し、特に１つの光源の各射出方向の光を所定の方向に案内することができる光案内装置及び該光案内装置を用いる照明具に関する。
【背景技術】
【０００２】
図１及び図２には従来の光案内装置が示されており、図１は該光案内装置の外部構成を示す斜視図である。図１に示されているように、該光案内装置１１は、円環状に形成され、かつ点光源１２の光が入射する入光面１１１と、互いに対向する光反射面１１２及び光出射面１１３とを有している。図２は該光案内装置の断面図である。図２に示されているように、従来の光案内装置は、入光面１１１から内部に入射した光が光反射面１１２に形成された複数の反射突起１１４の反射により光出射面１１３から出射するように構成されている。
【０００３】
特許文献１に開示されている光案内装置は、円環状の光案内部と、該光案内部の環内に配置されているＬＥＤユニットとを備える。前記光案内部は、前記ＬＥＤユニットに対向する光進入面と円環状の光出射面とを有する。該光案内部は、前記光進入面から入射した光が前記光出射面から出射するように案内することにより、円環状の光源を構成する。
【０００４】
上述した光案内装置は、点光源１２からの光が円環状に出射するように案内することができる。しかし、光出射面１１３に光通過可能な区域と光通過不可能な区域を形成しない限り、図３に示された複数の射出位置１３の光を所定の方向に案内することができない。
【先行技術文献】
【特許文献】
【０００５】
【特許文献１】台湾実用新案Ｍ４２８３２４号公報
【発明の概要】
【発明が解決しようとする課題】
【０００６】
したがって、本発明は、光出射面を加工しなくても、複数の射出位置の光を所定の方向に案内することができる光案内装置及び該光案内装置を用いる照明具の提供を目的とする。
【課題を解決するための手段】
【０００７】
上記目的を達成するため、本発明は、内部を光が伝搬することができる光案内部を有する光案内装置を提供する。該光案内部は、光反射面と、前記光反射面と間隔を空けて対向するように設けられた光出射面と、前記光出射面と前記光反射面の両側を連続させるとともに、互いに対向するように設けられた２つの接続面とにより構成される。前記光反射面は、前記光出射面側からのあらゆる入射角度の光を前記光出射面側に反射するように構成され、かつ互いに間隔を空けて配置されている複数の第１の反射部と、前記第１の反射部以外の箇所に形成されている第２の反射部とを含む。前記光出射面は、前記光反射面から入射する光のうち、所定の入射角度範囲内の光のみを前記光案内部の外側に出射させ、それ以外の光を再び前記光反射面に反射するように構成されている。前記第１の反射部は、前記光出射面側からの所定の入射角度範囲内の光を前記第２の反射部より効率的に前記光出射面に反射することができる。
【０００８】
上記光案内装置において、前記光案内部は所定の直線を囲む略環状に形成され、前記光反射面と前記光出射面はそれぞれ、環状に形成され、かつ前記所定の直線に沿って並んでいる。前記複数の第１の反射部は、環状に形成された前記光反射面に沿って、互いに間隔を空けて略環状に並ばれている。前記光反射面における前記第１の反射部は粗面である。
【０００９】
上記光案内装置において、前記光反射面の前記第１の反射部は、環状に形成された前記光反射面の円周方向に沿って並んでいる多数の突起構造を有する、粗面であることが好ましい。
【００１０】
上記光案内装置において、前記光反射面における前記第２の反射部が平面であることが好ましい。
【００１１】
本発明は、次のような照明具を更に提供する。該照明具は、カバーと、発光手段と、前記光案内部に入射した前記発光手段の光が前記光出射面から射出するように案内し、かつ前記カバー内に収容されている上記光案内装置と、前記光案内部の外側の前記光反射面に貼り付けられ、かつ前記光反射面に光を反射する光反射手段とを備える。前記光反射面に貼り付けられている前記光反射手段が鏡面を有することにより、光を前記光反射面に反射する。
【発明の効果】
【００１２】
本発明の光案内装置及び該光案内装置を用いる照明具において、光反射面が互いに間隔を開けて配置されている複数の第１の反射部と、第１の反射部以外の箇所に形成されている第２の反射部とを含むことにより、複数の第１の反射部により反射される大部分の光が光出射面から射出し、かつ複数の射出位置の光が所定の方向に射出するように案内することができる。
【図面の簡単な説明】
【００１３】
【図１】従来の光案内装置の外部構成が示されている斜視図である。
【図２】従来の光案内装置の断面図である
【図３】複数の射出位置の光を所定の方向に射出させることを示す説明図である。
【図４】本発明の光案内装置の斜視図である。
【図５】本発明の光案内装置の断面図である。
【図６】本発明の光案内装置の正面（光出射面側）図である。
【図７】本発明の光案内装置の背面（光反射面側）図である。
【図８】本発明の照明具の斜視図である。
【図９】本発明の照明具の断面図である。
【発明を実施するための形態】
【００１４】
以下、図４〜図７を参照しながら、本発明の光案内装置の好ましい実施形態について詳しく説明する。
【００１５】
図４は本発明の光案内装置の斜視図であり、図５は図４の断面図であり、図６は本発明の光案内装置の正面（光出射面側）図であり、図７は図６の背面（光反射面側）図である。
【００１６】
図示のように、本発明の光案内装置は、内部で光が伝搬することができる光案内部３と、光案内部３と略直交するように形成された入光部４と、入光部４の入光端４２が光源２に当接する固定フレーム５とを有している。光案内部３は、光反射面３１と、光反射面３１と所定の間隔を空けて対向するように設けられた光出射面３２と、光出射面３２と光反射面３１の両側をそれぞれ連続させるとともに、互いに対向するように設けられた２つの接続面３３とで構成されている。本発明の光案内装置は、光源２から発される光が入光部４の入光端４２から光案内部３の内部に入射し、かつ光案内部３の内部の光が光出射面３２の反射により光出射面３２から出射するように構成されている。
【００１７】
光反射面３１は、光出射面３２側からのあらゆる入射角度の光を光出射面３２側に反射するように構成されている。光反射面３１は、互いに間隔を空けて配置されている複数の第１の反射部３１１と、第１の反射部３１１以外の箇所の形成されている第２の反射部３１２とを含む。光出射面３２は、光反射面３１から入射する光のうち、所定の入射角度範囲内の光のみを光案内部３の外側に出射させ、それ以外の光を再び光反射面３１に反射するように構成されている。
【００１８】
光反射面３１に配置されている第１の反射部３１１は、光出射面３２側からの所定の入射角度範囲内の光を第２の反射部３１２より効率的に光出射面３２に反射することができる。
【００１９】
この実施形態において、光案内部３は、所定の直線Ｌ（図４を参照）を囲む略環状に形成され、光反射面３１及び光出射面３２も、光案内部３の形状に沿ってそれぞれ環状に形成されている。光反射面３１に配置されている複数の第１の反射部３１１は、環状に形成された光反射面３１の形状に沿って、互いに間隔を空けて略環状に並んでいる。
【００２０】
この実施形態において、略環状に形成された光案内部３と、光案内部３の形状に沿って略環状に並んでいる第１の反射部３１１とは、本発明の例示にしか過ぎないものであるため、光案内部３の全体形状と第１の反射部３１１の配置方法を、需要に応じて自由に変更することができる。
【００２１】
光反射面３１における第２の反射部３１２は、通常の反射効果を果たす平面に形成されている。各第１の反射部３１１は、光出射面３２側からの所定の入射角度範囲内の光を平面の第２の反射部３１２より効率的に光出射面３２に反射して、より多い光を光出射面３２から出射させる、粗面に形成されている。
【００２２】
この実施形態の各第１の反射部３１１は、図５に示すとおり、多数の突起構造３１３を有する粗面である。各突起構造３１３は、光案内部３、光反射面３１又は光出射面３２の延伸方向に沿って並んでいる。各突起構造３１３の形状や配列方向については、光出射面３２から出射する光の特性に応じて変更することができる。
【００２３】
図８及び図９により本発明の照明具について説明する。
【００２４】
図８は本発明の照明具の斜視図であり、図９は図８の断面図である。
【００２５】
図示されているように、本発明の照明具は、カバー７１と、中心発光手段７３と、光源２と、入光部４から光案内部３に入射した光源２の光が光出射面３２から出射するように案内し、かつカバー７１内に収容されている上記光案内装置と、光案内部３の外側の光反射面３１１に貼り付けられて、光反射面３１１に光を反射する光反射手段７２とを備えている。
【００２６】
この実施形態において、カバー７１は、一側に開口が形成されている皿状のケース７１１と、該開口を封止するようにケース７１１に取付けられる透明キャップ７１２とを有する。中心発光手段７３は、透明キャップ７１２に向かって発光するようにカバー７１の開口内の中央の付近に収容され、光源２は、透明キャップ７１２に向かって発光するようにカバー７１の開口内の周縁の付近に収容される。本発明の光案内装置は、入光部４が光源２に当接するように光案内部３と共にカバー７１の開口内に収容される。光反射面３１１に光を反射する機能を有する光反射手段７２は、光案内部３の外側の光反射面３１１に貼り付けられて光案内部３を支持するように光案内装置の光案内部３とカバー７１のケース７１１との間に設けられる。
【００２７】
この実施形態の光反射手段７２は、光反射面３１１に貼り付けられ、かつ鏡面を有する構造に構成されている。光反射手段７２は、光案内部３を支持する役割も果たす。他の実施例において、需要に応じて光反射面３１１に塗布する反射塗料で光反射手段を形成することもできる。
【００２８】
本発明の照明具は、中心発光手段７３により照明を行うことができる。また、光源２の光が本発明の光案内装置に案内されることにより、複数の射出位置の光を所定の方向に出射させることができるので、中心発光手段７３のサポートや装飾的な照明の効果を発揮することができる。
【００２９】
上記各実施形態は、本発明の例示にしか過ぎず、本発明の特許請求の範囲を限定するものではない。従って、同等の効果および目的を達成することができる上記実施形態の種々な変更や修飾があっても、当然に本発明の技術思想の範囲に含まれる。
【産業上の利用可能性】
【００３０】
上述した本発明において、光反射面は、互いに間隔を空けて配置されている複数の第１の反射部と、第１の反射部の以外に形成されている第２の反射部とを含む。これにより、複数の第１の反射部に反射される大部分の光が光出射面から出射し、かつ複数の射出位置の光が所定の方向に出射するように案内する光案内装置及び該光案内装置を用いる照明具を提供することができる。本発明は、例えば自動車の前照灯など、照明具が用いられる様々な分野に応用することができる。
【符号の説明】
【００３１】
３１    光反射面
３２    光出射面
３３    接続面
３      光案内部
４      入光部
５      固定フレーム
４２    入光端
３１１  第１の反射部
３１２  第２の反射部
３１３  突起構造
７１    カバー
７３    中心発光手段
２      光源
７２    光反射手段
７１１  ケース
７１２  透明キャップ
【図１】
2015115315.tif 000003
【図２】
2015115315.tif 000004
【図３】
2015115315.tif 000005
【図４】
2015115315.tif 000006
【図５】
2015115315.tif 000007
【図６】
2015115315.tif 000008
【図７】
2015115315.tif 000009
【図８】
2015115315.tif 000010
【図９】
2015115315.tif 000011
【手続補正書】
【提出日】平成27年3月20日(2015.3.20)
【手続補正１】
【補正対象書類名】特許請求の範囲
【補正対象項目名】全文
【補正方法】変更
【補正の内容】
【特許請求の範囲】
【請求項１】
内部で光が伝搬する光案内部を有する光案内装置であって、該光案内部は、光反射面と、前記光反射面と間隔を空けて対向するように設けられた光出射面と、前記光出射面と前記光反射面の両側をそれぞれ連続させるとともに、互いに対向するように設けられた２つの接続面とで構成され、
前記光反射面は、前記光出射面側からのあらゆる入射角度の光を前記光出射面側に反射するように構成され、かつ互いに間隔を空けて配置されている複数の第１の反射部と、前記第１の反射部以外の箇所に形成されている第２の反射部とを含み、
前記光出射面は、前記光反射面から入射する光のうち所定の入射角度範囲内の光のみを前記光案内部の外側に出射させ、それ以外の光を再び前記光反射面に反射するように構成されており、
前記第１の反射部は、前記光出射面側からの所定の入射角度範囲内の光を前記第２の反射部より効率的に前記光出射面に反射し、
前記光案内部は所定の直線を囲む略環状に形成され、
前記光反射面と前記光出射面は、それぞれ環状に形成されるとともに前記所定の直線に沿って並んでおり、
前記複数の第１の反射部は、環状に形成された前記光反射面に沿って互いに間隔を空けて略環状に並んており、
前記光反射面における前記第１の反射部は粗面であり、
前記光反射面における前記第１の反射部は、環状に形成された前記光反射面の円周方向に沿って並んでいる多数の突起構造を有する粗面であり、
前記光反射面における第２の反射部は平面である、ことを特徴とする光案内装置。
【請求項２】
カバーと、
発光手段と、
前記光案内部に入射した該発光手段の光が前記光出射面から出射するように案内し、かつ前記カバー内に収容されている請求項１に記載の光案内装置と、
前記光案内部の外側の光反射面に貼り付けられ、かつ光を前記光反射面に反射する光反射手段とを備える照明具であって、
前記光反射面に貼り付けられる前記光反射手段が鏡面を有することにより、光を前記光反射面に反射することを特徴とする照明具。